(57)【特許請求の範囲】
【請求項１】
所要の遊技状態に対応して、音声出力装置から出力される各種効果音や音声等の制御を行なう音声制御手段を備えた遊技機において、
前記音声制御手段は、該音声制御手段を制御する音声制御用ＣＰＵ、音声情報を記憶させた音声合成ＩＣ、音声用や制御用のＲＯＭおよび前記音声出力装置から出力される音量を調節し得る音量調節器を備え、該音声制御手段が遊技機裏側に配設される一方、
前記音声出力装置は、前記音声制御手段から送信される音信号を増幅し得るパワーアンプで増幅された音信号の中高音域を出力し得る中高音出力装置と、前記パワーアンプで増幅された音信号の低音域を出力し得る低音出力装置とを備え、
遊技球を貯留する上球皿内に画成される中空部には、前記パワーアンプと、前記音声出力装置と、前記音声制御手段からの音信号の低音域を増幅して前記パワーアンプに送信する低音増幅部とが配設された
ことを特徴とする遊技機。
【請求項２】
前記上球皿における中空部の左右方向の中央に、前記パワーアンプが配設されると共に、前記上球皿の前部における左右方向の中央部に通気孔が設けられ、前記通気孔を挟む左右両側に前記音声出力装置が夫々配設された請求項１記載の遊技機。
【請求項３】
前記パワーアンプに除熱手段が配設された請求項１または２記載の遊技機。
【請求項４】
前記音量調節器に前記低音増幅部が接続され、この低音増幅部に前記パワーアンプが接続されると共に、該パワーアンプには、前記中高音出力装置および低音出力装置が並列の関係で接続された請求項１〜３の何れか一項に記載の遊技機。
【請求項５】
前記音量調節器には、直列接続された第１のパワーアンプおよび中高音出力装置と、同じく直列接続された前記低音増幅部、第２のパワーアンプおよび低音出力装置とが並列の関係で接続され、前記第１のパワーアンプと前記音量調節器との間にハイパスフィルタが配設されると共に、前記低音増幅部と音量調節器との間にローパスフィルタが配設された請求項１〜３の何れか一項に記載の遊技機。
【請求項６】
前記上球皿の中空部をエンクロージャー構造に形成すると共に、前記中高音出力装置および低音出力装置の夫々の出力部を外部に露出させるようにした請求項１〜５の何れか一項に記載の遊技機。
【発明の詳細な説明】
【０００１】
【発明の属する技術分野】
本発明は、所要の遊技状態に対応して音声制御手段から送信される音信号を、音声出力装置で出力し得るレベルに増幅し得るパワーアンプを備えた遊技機に関する。
【０００２】
【従来の技術】
パチンコ機やアレンジボール機に代表される遊技機の基本的構成としては、図９または図１０に示すように、例えばパチンコ機Ｐでは、矩形枠体としての外枠Ａの開口前面側に対して、中枠Ｂが連結支持手段および施錠手段を利用して着脱および開閉可能に組付けられている。そして、中枠Ｂの前側部分には、ガラス扉Ｄを組付けた横開き式の前枠Ｃと上球皿６０が夫々着脱および開閉可能に組付けられると共に、該上球皿６０の後側に電動式の球送り装置等がセットされている。また、前記中枠Ｂの内部の所要位置に音声出力装置５７(スピーカ等)が配設されると共に、該中枠Ｂの下部には下球皿Ｅおよび打球発射装置Ｆ等が設置される。更に、この中枠Ｂの裏側には機構セット盤Ｇ等が装備されると共に、該中枠Ｂの後側に設けられた保持枠の正面内部に所要の遊技領域Ｉを構成した遊技盤Ｊが着脱交換可能にセットされ、該遊技領域Ｉの略中央部には図柄可変表示装置Ｋが配設されている。また、前記機構セット盤Ｇにおいては、パチンコ機全体を制御するための主制御手段Ｑと、図柄可変表示装置Ｋを制御する図柄表示制御手段Ｒ、音声制御手段５１、ランプ制御手段、払出し制御手段、発射制御手段等の各種制御手段が夫々所定部位に配置され、主制御手段Ｑに対して各種制御手段が電気的に接続されており、この主制御手段Ｑから送信される制御コマンドに応じて制御を行うようになっている。
【０００３】
そして、前記上球皿６０内に貯留されるパチンコ球(遊技球)を、前記打球発射装置Ｆを使用して前記遊技盤Ｊ上の遊技領域Ｉに打出すことで、パチンコゲームを展開するようになっている。パチンコゲーム中に発生される様々な遊技状態(所定入賞口への入賞時、図柄可変表示装置Ｋの作動時、特別遊技条件の成立時、入賞装置の作動時等)に対して、前記中枠Ｂの内側に配設されている前記音声出力装置５７から各種の効果音や音声等を出力することで、遊技者に遊技状態を報知したり、遊技の興趣を高めるよう設定されている。
【０００４】
ここで、図１１または図１２に示すように、前記音声出力装置５７から各種効果音や音声等を出力させるための音信号を生成する前記音声制御手段５１は、音声情報等を制御する音声制御用ＣＰＵ５２、音声合成ＩＣ５３、音声用や制御用等の各種ＲＯＭ５４や音信号を増幅させるパワーアンプ５６等、その他多数の各種電子部品から構成されている。すなわち、所要の遊技状態に対応した音信号が前記音声合成ＩＣ５３等により生成され、この生成された音信号をパワーアンプ５６が前記音声出力装置５７で出力し得るレベルまで増幅することで、該音声出力装置５７から各種効果音や音声等が出力されるようになっている。
【０００５】
【発明が解決しようとする課題】
しかし、各種効果音や音声等を出力し得るよう構成された遊技機において長時間に亘って遊技を行なうと、前記音声制御手段５１に配設されたパワーアンプ５６は発熱により次第に高温となる。そのため、図１２に示すように、通常はこのパワーアンプ５６に放熱用の放熱板等の除熱手段５６ａを備え、放熱冷却させるようになっている。ここで、前記パワーアンプ５６の放熱効率を高めるためには、大型の除熱手段５６ａが必要となる。このように、除熱手段５６ａを備える必要のあるパワーアンプ５６は、前記音声制御手段５１のスペース的余裕を奪うことになると共に、音声制御手段５１自体を大型化させる問題を招く。
【０００６】
ところが、前述のように、パチンコ機Ｐの機構セット板Ｇは主制御手段Ｑや図柄表示制御手段Ｒ、その他各種制御手段等の多数の部材から構成されており、スペース的な余裕は限られているため、大型の前記音声制御手段５１は、他の制御手段等と重なった状態で組付けられる等、組付け位置が制約されることになる。このため、各制御手段間の配線が複雑になり、遊技機の組付け時やメンテナンス時の作業性が悪化する問題がある。更に、前記パワーアンプ５６を音声制御手段５１に配設する場合には、該音声制御手段５１にスペース的余裕がなく、十分な空気循環を行なうことができないため、前記除熱手段５６ａによる放熱効率が低下する畏れがある。そして、ノイズを発生させる畏れのあるパワーアンプ５６を、前記音声制御手段５１に配設することで、音声制御用ＣＰＵ５２等のノイズに弱い精密電子部品に悪影響が生じる問題も指摘される。また、高性能なパワーアンプ５６は大型化する可能性があり、高性能なパワーアンプを使用する場合には、遊技機の組付け性やメンテナンス性その他の点で、より大きな問題となる可能性がある。
【０００７】
更に、前記音声出力装置５７から効果音や音声等を小音量で出力されるようにパチンコ機Ｐを設定する場合に、当該遊技機の設置される環境によっては、該音声出力装置５７から出力された効果音や音声等の低音域の識別が困難となる問題も指摘される。なお、前記音声出力装置５７から出力される効果音や音声等を小音量に設定した場合でも低音域を鮮明に識別し得るように、低音増幅部(図示せず)を前記音声制御手段５１に配設して、低音域を増幅する遊技機も提案されている。しかし、前記低音増幅部は、複数の部品で構成され、比較的大型部品となり易いため、当該音声制御手段５１の更なる大型化を招き、前述と同様に、各種制御手段間の配線が複雑となって、組付け時やメンテナンス時の作業性が悪化する畏れがある
【０００８】
また、従来のパチンコ機Ｐでは所要位置に１基の音声出力装置５７が配設されているものが多く、前記音声制御手段５１から送信される音信号に対応して、この１基の音声出力装置５７で、各種効果音や音声等の全音域を出力するようになっている。しかし、１基の音声出力装置５７で全音域を出力させるようにすると、低音域や高音域を出力し得る幅が狭くなり、単調な音が出力されて迫力や臨場感に欠ける問題が指摘される。また、パチンコ機Ｐに複数の音声出力装置５７を配設する場合には、前述したように、遊技機のスペース的余裕は限られているため、該音声出力装置５７や各種制御手段間の配線が複雑になって、組付け時やメンテナンス時の作業性が悪化する畏れがある。
【０００９】
【発明の目的】
本発明は、前述した従来の技術に内在している前記問題に鑑み、これを好適に解決するべく提案されたものであって、遊技機に配設される各種制御手段間の配線の簡素化を可能とすることで、当該遊技機の組付け時やメンテナンス時の作業性を向上させ得ると共に、高性能なパワーアンプを使用することができ、併せて出力される各種効果音等が、高品質で迫力や臨場感に優れた遊技機を提供することを目的とする。
【００１０】
【課題を解決するための手段】
前記課題を克服し、所期の目的を好適に達成するため、本発明に係る遊技機は、
所要の遊技状態に対応して、音声出力装置(27)から出力される各種効果音や音声等の制御を行なう音声制御手段(21)を備えた遊技機において、
前記音声制御手段(21)は、該音声制御手段(21)を制御する音声制御用ＣＰＵ(22)、音声情報を記憶させた音声合成ＩＣ(23)、音声用や制御用のＲＯＭ(24)および前記音声出力装置(27)から出力される音量を調節し得る音量調節器(25)を備え、該音声制御手段(21)が遊技機裏側に配設される一方、
前記音声出力装置(27)は、前記音声制御手段(21)から送信される音信号を増幅し得るパワーアンプ(39,40,41)で増幅された音信号の中高音域を出力し得る中高音出力装置(28)と、前記パワーアンプ(39,40,41)で増幅された音信号の低音域を出力し得る低音出力装置(29)とを備え、
遊技球を貯留する上球皿(30)内に画成される中空部(30a)には、前記パワーアンプ(39,40,41)と、前記音声出力装置(27)と、前記音声制御手段(21)からの音信号の低音域を増幅して前記パワーアンプ(39,41)に送信する低音増幅部(38)とが配設されたことを特徴とする。
【００１１】
【作用】
本発明における遊技機では、音声出力装置から出力される各種効果音や音声等の制御を行なう音声制御手段に、音量を調節し得る音量調節器を配設することで、遊技機から出力させる効果音等の音量を任意に調節し得るようになると共に、遊技球を貯留する上球皿内に画成される中空部に、大型部品となり易いパワーアンプや低音増幅部、中高音出力装置および低音出力装置の各部材を配設することで、音声制御手段や遊技機内にスペース的余裕ができ、遊技機に配設される各種制御手段間の配線を簡素化し得るようになって、当該遊技機の組付け性やメンテナンス性の向上を図り得る。また、上球皿内の中空部を有効利用することで、大型で高品質なパワーアンプの使用が可能となる。更に、音声制御手段とパワーアンプとは離間させて配設されるので、この音声制御手段に配設された音声制御用ＣＰＵ等の精密電子部品がパワーアンプから発生するノイズの影響を受けて、音声出力装置から出力される効果音や音声等が劣化することを防止することができる。
【００１２】
そして、音信号の低音域を増幅してパワーアンプに送信する低音増幅部を設けることで、音量調節器の操作により遊技機を小音量に設定して使用する場合でも、低音域が強調されて迫力のある効果音や音声等を出力させることができる。更に、前記上球皿内の中空部のスペースを利用して、中高音域を出力し得る中高音出力装置および低音域を出力し得る低音出力装置の夫々を配設することで、低音域や高音域を広範囲かつ高品質で出力し得ると共に、迫力や臨場感に優れた複雑な効果音等の出力が可能となる。
【００１３】
【発明の実施の形態】
次に、本発明に係る遊技機について好適な実施例を挙げて、添付図面を参照して以下詳細に説明する。なお、本実施例では、遊技機として、一般的なパチンコ機に実施される場合について説明する。また、実施例に係るパチンコ機の基本的構成は、図９または図１０を参照して従来の技術で説明したものと同じであるので、既出の同一部材には同じ符号を付して、詳細説明は省略する。
【００１４】
【第１実施例】
前記遊技盤Ｊは、図１に示すように、略円形状に湾曲形成したレール１０により囲まれた遊技領域Ｉの前側において、縦央やや下部に配設されて球をスイッチで検出し得る始動入賞口１１と、この始動入賞口１１の直上方に配置されて、図柄の変動表示等を行なう図柄可変表示装置Ｋとが整合すると共に、内壁面をメッキ処理して開設された可視表示窓を形成した大型装飾部品Ｌと、風車とも称されて遊技球の流下方向を変向する電飾案内車１２および普通案内車１３と、始動入賞口１１の直下方に設置された大型電動式の入賞装置Ｍと、遊技状態に応じて照射パターンが変更制御される電飾装置１４等を備えている。なお、図１中の符号１６はアウト口を示し、遊技球を排出するようになっている。
【００１５】
前記始動入賞口１１内に配設された図示しないスイッチは、各遊技球の検出毎に図柄可変表示装置Ｋを１回ずつ変動開始させるための始動入力手段として利用される。また前記入賞装置Ｍは、図柄可変表示装置Ｋの大当り成立時に対する特別遊技状態として、開成作動条件が付与される大型の入賞装置Ｍであって、図１に示されるように、特別入賞口１７に対設された扉状の開閉板１８が、後側の電磁ソレノイドに係る設定駆動条件に基づいて、通常の閉塞状態から開放状態に変化されるようになっている。なお、前記入賞装置Ｍの左右両側に普通入賞口１９,１９が設けてある。
【００１６】
また、前記機構セット盤Ｇには、上部から右側部に亘る外周囲部に球貯留排出経路部４５等が配設されると共に、この球貯留排出経路部４５の下側に、カセット形態とされる電動制御式の貸球用および賞球用の球払出装置４６が前後の関係で設置される(図８参照)。これら球払出装置４６下方に、該装置４６から払出された貸球および賞球を前記中枠Ｂに組み付けられた上球皿３０または下球皿Ｅへ排出する球排出経路(図示せず)が形成されており、前記球貯留排出経路部４５に貯留された所定数のパチンコ球(貯留球)が、各球払出装置４６の作動により貸球または賞球として払出されるようになっている。
【００１７】
ここで、実施例の音声制御手段２１は、図６に示すように、該音声制御手段２１を制御する音声制御用ＣＰＵ２２、音声情報等を合成する各種音声合成ＩＣ２３、音声用や制御用等の各種ＲＯＭ２４、音量調節器２５等から構成されている。そして、前記主制御手段Ｑから所要の遊技状態に対応して送信される音声出力コマンドに応じて、前記音声合成ＩＣ等により生成された音信号を、後述のアンプユニット３７に送信するようになっている。ここで、前記音量調節器２５は、一般的な可変抵抗器を使用することができ、この音量調節器２５を操作することで、後述の音声出力装置２７から出力される音量を調節し得る。
【００１８】
図２〜図５に示すように、前記中枠Ｂの下部前側に装備される前記上球皿３０は、基本的な構成として、合成樹脂成形された基本構成部材である箱枠状の外郭体３１と、同外郭体３１の開口内側に嵌合セットされる合成樹脂成形された球皿本体３２とをビス等で組付け整合して、全体が下面を水平にし両端を曲面状にした流線形状にユニット化されており、この両者３１,３２の裏面に合わせて、横長方形状に合成樹脂成形された開閉支板３３がビス等で取着されて単一化されている。そして、該上球皿３０の全体が、前記中枠Ｂの前面左右の幅に整合するサイズに構成してある(図１参照)。また、前記開閉支板３３の左端部裏面に、上球皿３０の着脱開閉用の連結支持手段３３ａが配設され、該連結支持手段３３ａを介して上球皿３０が中枠Ｂに対して横開き形態で開閉自在に連結支持されるようになっている。
【００１９】
また、合成樹脂成形された前記外郭体３１は、図２に示すように、両端を略左右対称の曲面状にした流線形状の本体部(正面部)３４と、該本体部３４の上部にビス着される上板部３５および本体部３４の下部にビス着される底板部(底面部)３６とから構成される。このように、前記上球皿３０は、前記外郭体３１、球皿本体３２および開閉支板３３により中空部３０ａを画成された構造とされ、図３または図４に示すように、該中空部３０ａ内に各種効果音や音声等を出力し得る、後述の音声出力装置２７やアンプユニット３７が配設される。なお、前記外郭体３１の本体部３４の略中央部には、スリット状の通気孔３１ａが穿設されると共に、左右両端部近傍には所要数の開口部３１ｂが開口されている。
【００２０】
前記中空部３０ａ内の略中央部には、図３に示すように、前記音声制御手段２１により生成された音信号(電気信号)を増幅させ得るアンプユニット３７がビス等の所要の固定手段により配設固定されている。このアンプユニット３７は、前記音声制御手段２１からの音信号の低音域を増幅し得る低音増幅部３８および前記音声制御手段２１から送信される音信号を増幅し得るパワーアンプ３９から構成される。そして、前記音量調節器２５に前記低音増幅部３８が接続され、この低音増幅部３８に前記パワーアンプ３９が接続されるようになっている。すなわち、前記音声制御手段２１から伝達される音信号を、低音域については前記低音増幅部３８により増幅して強調した後にパワーアンプ３９に送信し、該強調された低音域の音信号およびその他の音信号をパワーアンプ３９で増幅して、音声出力装置２７に伝達するようになっている。なお、この第１実施例では、前記低音増幅部３８として、バスブーストタイプとされた集積回路を使用して音信号の低音域を増幅している。また、前記パワーアンプ３９は放熱板等の除熱手段４２を備える。
【００２１】
更に、図３に示すように、前記上球皿３０に画成された中空部３０ａの左右両端部近傍には、効果音や音声等を出力し得る音声出力装置２７が配設されている。ここで、前記音声出力装置２７は、前記パワーアンプ３９で増幅された音信号の、中高音域を出力し得る中高音用スピーカからなる中高音出力装置２８およびパワーアンプ３９で増幅された音信号の、低音域を出力し得る低音用スピーカからなる低音出力装置２９とから構成される。また、前記中高音出力装置２８と低音出力装置２９とは、並列の関係で前記パワーアンプ３９に接続されている。そして、前記中空部３０ａには、密閉されたエンクロージャー構造とされ、中高音出力装置２８および低音出力装置２９の出力部２８ａ,２９ａの夫々を外部に露出し得る通孔(図示せず)を開口された箱体２６が設けられており、該箱体２６内にその出力部２８ａ,２９ａを該通孔から露出させた状態で、当該中高音出力装置２８および低音出力装置２９が配設される。なお、上球皿３０の中空部３０ａ内に前記箱体２６を配設した際に、前記外郭体３１の本体部３４に形成した開口部３１ｂとこの箱体２６の通孔とが整列した状態で固定される。また、前記中高音出力装置２８および低音出力装置２９の出力部２８ａ,２９ａの夫々は、メッシュ状の保護部材４８で保護され、損傷しないよう構成されている。
【００２２】
【第１実施例の作用】
次に、前述のように構成された第１実施例に係るパチンコ機の作用について説明する。前記打球発射装置Ｆにより遊技盤Ｊ上に打出されたパチンコ球が、各種入賞口１１,１７,１９に入賞等して所要の遊技状態が発生すると、音声制御手段２１は遊技状態に対応した各種効果音や音声を音声出力装置２７から出力させる音信号を生成する。そして、この生成された音信号は、音量調節器２５を経由して、上球皿３０の中空部３０ａ内に配設されるアンプユニット３７に送信され、この音信号の低音域については低音増幅部３８で増幅された後に、音信号全体をパワーアンプ３９で増幅処理し、この増幅された音信号の中高音域は、中高音出力装置か２８から出力されると共に、低音域は低音出力装置２９から出力されて、各種効果音や音声等が出力される(図６参照)。ここで、図３に示すように、大型部品となり易い低音増幅部３８やパワーアンプ３９、中高音出力装置２８および低音出力装置２９の夫々を、上球皿３０内に画成される中空部３０ａに配設するようにしたことで、前記音声制御手段２１にスペース的な余裕ができ、該音声制御手段２１の小型化を図り得ると共に、遊技機の裏面側にもスペース的余裕が生じる。すなわち、遊技機に各種制御手段等を組付ける際の配線等の簡略化を図り得るので、容易に組付け作業やメンテナンス作業を行なうことができる。また、図６に示すように、音声制御手段２１から送信される音信号をパワーアンプ３９で増幅処理する前段階として、低音域を増幅し得る低音増幅部３８を配設したので、音量調節器２５の操作によりパチンコ機Ｐを小音量に設定して使用する場合でも、低音域の強調された迫力のある効果音や音声等を出力させることができるようになる。
【００２３】
更に、図３に示すように、前記中空部３０ａ内に音声出力装置２７としての中高音声用の中高音出力装置２８および低音用の低音出力装置２９の夫々を配設するようにしたので、低音域や高音域を広範囲に亘って出力し得るようになり、迫力や臨場感に優れた複雑な効果音等を出力することができる。また、前記中高音出力装置２８および低音出力装置２９の夫々から効果音等を出力させるまでの経路を同一にすることで、高音質にする際のコストの上昇を効果的に抑制し得ると共に、省スペースを図り、かつ容易に組付けることが可能である。
【００２４】
ここで、前記中高音出力装置２８および低音出力装置２９における出力部２８ａ,２９ａの前後においては、例えば該出力部２８ａ,２９ａ(振動板)が前方に動いた際には、前面の空気は押されて「密」となる一方で、後面は空気の薄い「疎」となるように、当該出力部２８ａ,２９ａを境界に逆の作用が行なわれることになる。すなわち、前記出力部２８ａ,２９ａの前後からは、逆位相の音が出力されることになり、この前後から出力された逆位相の音が干渉すると、打消し合って音が不鮮明になるが(特に低音域に対して影響が顕著である)、密閉されたエンクロージャー構造とした箱体２６内に、前記中高音出力装置２８および低音出力装置２９を配設することで、夫々の出力部２８ａ,２９ａの前後から出力される音の干渉が防止され、鮮明な効果音や音声等を出力し得るようになり、遊技者はより興趣のある遊技を行ない得る。なお、前記箱体２６の壁部を肉厚とすることで、効果的に音の干渉を防止して、より鮮明な効果音や音声等とすることができると共に、この箱体２６の容積を変化させることで、鮮明に出力できる低音域の限界(限界周波数)を変更することが可能である(一般に、容積を大きくすることで限界周波数が下がり、より低音域の効果音や音声等を出力し得るようになる)。
【００２５】
更に、前記パワーアンプ３９と音声制御手段２１とを分離することで、音声制御手段２１に配設された音声合成ＩＣ等の各種精密電子部品が、パワーアンプ３９から発生するノイズの影響を受けることがない。また、スペース的な余裕のある中空部３０ａを利用することで、大型で高品質なパワーアンプ３９を使用することも可能になると共に、十分な空気循環を行ない得るので、パワーアンプ３９の効果的な放熱冷却を行なうことが可能である。
【００２６】
【第２実施例】
次に、第２実施例に係る遊技機について説明する。なお、第２実施例に係るパチンコ機の基本的な構成は、前述の第１実施例のパチンコ機Ｐと基本的に同一であり、異なる部材についてのみ説明し、同一の部材については同一の符号を用いて説明する。
【００２７】
第２実施例に係るパチンコ機Ｐでは、図７に示すように、前記上球皿３０に画成される中空部３０ａ内の略中央部に配設固定されるアンプユニット４７は、前記音声制御手段２１からの音信号の低音域を増幅し得る低音増幅部３８、前記音声制御手段２１から送信される音信号を増幅し得る第１のパワーアンプ４０および第２のパワーアンプ４１、音信号の内の低音信号をカットまたは低減させ得る(基準となる周波数よりも低い周波数を除去し得る)ハイパスフィルタ４３および音信号の内の中高音信号をカットまたは低減させ得る(基準となる周波数よりも高い周波数を除去し得る)ローパスフィルタ４４から構成される。
【００２８】
そして、図７および図８に示すように、前記第１のパワーアンプ４０および中高音出力装置２８が直列接続されると共に、前記低音増幅部３８、第２のパワーアンプ４１および低音出力装置２９が、直列接続され、この直列接続された第１のパワーアンプ４０および中高音出力装置２８と、低音増幅部３８、第２のパワーアンプ４１および低音出力装置２９とが前記音量調節器２５に並列の関係で接続される。更に、前記中高音出力装置２８に接続される第１のパワーアンプ４０と前記音量調節器２５との間に、前記ハイパスフィルタ４３を配設すると共に、前記低音出力装置２９に接続される低音増幅部３８と音量調節器２５との間に、前記ローパスフィルタ４４を配設するようになっている。なお、第１実施例と同様に、前記低音増幅部３８として、バスブーストタイプとされた集積回路を使用して音信号の低音域を増幅している。また、前記第１および第２のパワーアンプ４０,４１の夫々には、放熱板等の除熱手段４２が備えられる。
【００２９】
更に、図７に示すように、前記上球皿３０に画成された中空部３０ａに配設されるエンクロージャー構造の箱体２６内には、前記中高音出力装置２８および低音出力装置２９の夫々が出力部２８ａ,２９ａを外部に露出させた状態で配設される。なお、前記中高音出力装置２８および低音出力装置２９の出力部２８ａ,２９ａは、損傷しないよう前記保護部材４８で夫々保護されている。
【００３０】
【第２実施例の作用】
次に、前述のように構成された第２実施例に係るパチンコ機Ｐの作用について説明する。前記打球発射装置Ｆにより遊技盤Ｊ上に打出されたパチンコ球が、各種入賞口１１,１７,１９に入賞等して所要の遊技状態が発生すると、音声制御手段２１は遊技状態に対応した各種効果音や音声を音声出力装置２７から出力させる音信号を生成する。そして、この生成された音信号は、音量調節器２５を経由して、上球皿３０の中空部３０ａ内に配設されるハイパスフィルタ４３およびローパスフィルタ４４の夫々に送信される。そして、ハイパスフィルタ４３に信号が送信されると、この信号の内の低音信号がカットまたは低減されるので、中高音信号のみが第１のパワーアンプ４０で増幅処理されて中高音出力装置２８に送信され、各種効果音や音声等の中高音域が出力される。また、ローパスフィルタ４４に信号が送信されると、この信号の内の中高音信号がカットまたは低減されるので、低音信号のみが低音増幅部３８に送信されて増幅された後に、更に第２のパワーアンプ４１で増幅処理されて低音出力装置２９に送信され、各種効果音や音声等の低音域が出力される(図８参照)。
【００３１】
このように、大型部材となり易い低音増幅部３８や第１および第２のパワーアンプ４０,４１、中高音出力装置２８および低音出力装置２９の夫々を上球皿３０内に画成される中空部３０ａに配設するようにしたことで、前記音声制御手段２１にスペース的な余裕ができ、該音声制御手段２１の小型化を図り得ると共に、遊技機の裏面側にもスペース的余裕が生じる。すなわち、遊技機に各種制御手段等を組付ける際の配線等の簡略化を図り得るので、容易に組付け作業やメンテナンス作業を行なうことができる。また、図８に示すように、音声制御手段２１から送信される音信号を第２のパワーアンプ４１で増幅処理する前段階として、低音域を増幅し得る低音増幅部３８を配設したので、前記音量調節器２５の操作により、パチンコ機Ｐを小音量に設定して使用する場合でも、低音域の強調された迫力のある効果音や音声等を出力させることができる。
【００３２】
更に、図８に示すように、前記中空部３０ａ内に音声出力装置２７として、中高音声用の中高音出力装置２８および低音用の低音出力装置２９の夫々を配設するようにしたので、低音域や高音域を広範囲かつ高品質で出力し得ようになり、迫力や臨場感に優れた複雑な効果音等を出力することが可能である。また、前記音声制御手段２１から送信される音信号を、ハイパスフィルタ４３およびローパスフィルタ４４を用いて、中高音信号と低音信号とに分割した後に、夫々独立して第１または第２のパワーアンプ４０,４１等で増幅処理し、中高音用の中高音出力装置２８または低音用の低音出力装置２９の夫々で出力するようにしたので、より低音域や中高音域が鮮明かつ高品質で出力し得るようになり、迫力や臨場感に優れた複雑な効果音等の出力が可能となる。更に、基準となる周波数よりも低い周波数を取り除くハイパスフィルタ４３と、基準となる周波数よりも高い周波数を取り除くローパスフィルタ４４とにより、所定の音域を取り除くようにすれば、出力される音を自由に変化させることができ、音声出力装置２７から出力される効果音等の多様化を容易に図り得る。なお、ハイパスフィルタ４３およびローパスフィルタ４４の夫々を上球皿３０内の中空部３０ａに配設することで、遊技機の裏面側のスペースが圧迫され、遊技機の組付け性やメンテナンス性を損なう畏れはない。
【００３３】
また、密閉されたエンクロージャー構造とした箱体２６内に、前記中高音出力装置２８および低音出力装置２９を配設することで、夫々の出力部２８ａ,２９ａの前後から出力される音の干渉が防止されるので、鮮明な効果音や音声等を出力し得るようになり、遊技者はより興趣のある遊技を行ない得る。なお、前記箱体２６の壁部を肉厚とすることで、効果的に音の干渉を防止して、より鮮明な効果音や音声等とすることができると共に、この箱体２６の容積を変化させることで、鮮明に出力できる音域の限界(限界周波数)を変更することができる。
【００３４】
更に、前記パワーアンプ４０,４１と音声制御手段２１とを分離することで、音声制御手段２１に配設された音声合成ＩＣ等の各種精密電子部品が、パワーアンプ３９,４０,４１から発生するノイズの影響を受けることがない。また、スペース的に余裕のある中空部３０ａを利用することで、大型で高品質なパワーアンプ４０,４１を使用することも可能になると共に、十分な空気循環を行ない得るので、パワーアンプ４０,４１の効果的な放熱冷却を行なうことが可能である。
【００３５】
なお、第１および第２実施例ではパチンコ機に実施した場合を示したが、これに限られるものではなく、アレンジボール機等に実施することも可能である。また、前記上球皿３０の中空部３０ａ内に配設される低音増幅部３８やパワーアンプ３９,４０,４１、音声出力装置２７等の配設位置は、実施例の配設位置に限られるものではなく、該中空部３０ａ内の所要位置に夫々配設すれば良い。また、前記中空部３０ａ内に配設する音声出力装置２７としてはスピーカに限られず、各種の効果音や音声等を出力可能な従来公知の装置・部材を採用することができる。更に、前記上球皿３０の中空部３０ａ内に、音声出力装置２７として中高音出力装置２８および低音出力装置２９を夫々１つ配設するようにしたが、その数および配設位置はこれに限られず、適宜に変更することが可能である。
【００３６】
また、本実施例においては、中高音出力装置２８および低音出力装置２９をエンクロージャー構造の箱体２６内に配設するようにしたが、少なくとも中高音出力装置２８を当該箱体２６内に配設するよう構成しても、エンクロージャー構造に構成されているため、低音の強調された迫力のある効果音等を出力させることができる。なお、前記中空部３０ａ内に配設される中高音出力装置２８および低音出力装置２９、または中高音出力装置２８のみを収納したエンクロージャー構造の箱体２６は、２つに限らず、１つまたは３つ以上配設しても良い。そして、エンクロージャー構造の箱体２６を上球皿３０の中空部３０ａ内に配設する構成に限られず、該中空部３０ａをエンクロージャー構造として、配設される音声出力装置２７の前方に出力される音波と後方に出力される音波とが干渉しないようにすれば、鮮明な効果音や音声等を出力させることができる。例えば、上球皿３０を構成する外郭体３１と球皿本体３２を組付けた際に生じる隙間を、目地材等で閉塞することで、上球皿３０内に画成される中空部３０ａをエンクロージャー構造とすることができる。なお、エンクロージャー構造とした中空部と外部とを連通させる所要径のバスレフダクトを設けることで、より一層低音域の強調された迫力のある効果音や音声等の出力が可能となる。また、このバスレフダクトを延長屈曲させた迷路状に構成し、該ダクトの全長を長くすることで、より低音域まで再生可能とすることもできる。更に、バスレフダクトの幅員を、出力側(外側)に向かって徐々に広げていく、所謂例えばバックロードホーンタイプとすることでも、より低音域を強く再生できるようになるので、歯切れの良い音の出力が可能となる。
【００３７】
【発明の効果】
以上説明した如く、本発明に係る遊技機によれば、大型部材となり易い低音増幅部やパワーアンプ、中高音出力装置および低音出力装置の夫々を上球皿内に画成される中空部に配設することで、音声制御手段や遊技機の裏側にスペース的な余裕ができるので、遊技機に配設される各種制御手段間の配線の簡素化が可能となり、当該遊技機の組付け性やメンテナンス性を向上させ得る。そして、前記音声制御手段に配設される精密電子部品の夫々は、パワーアンプから発生するノイズの影響を受けることがなくなると共に、スペース的に余裕のある中空部に配設することで、大型で高性能なパワーアンプを使用することも可能になると共に、十分な空気循環を行ない得るので、パワーアンプの効果的な放熱冷却を行なうことができる。また、音信号の低音域を増幅してパワーアンプに送信する低音増幅部を備えるので、音量調節器により遊技機を小音量に設定して使用する場合でも、低音域が強調された迫力のある効果音や音声等を出力させることができる。更に、中高音域を出力し得る中高音出力装置および低音域を出力し得る低音出力装置の夫々を配設することで、低音域や高音域を広範囲かつ高品質に出力し得るようになり、迫力や臨場感に優れた複雑な効果音等を出力することができる。
【００３８】
また、前記音量調節器に低音増幅部が接続され、この低音増幅部にパワーアンプが接続されると共に、このパワーアンプに前記中高音出力装置および低音出力装置を接続するようにすることで、当該中高音出力装置および低音出力装置に至る経路の統一化を図り得るので、中高音出力装置および低音出力装置を用いた場合でも、少数の部品で迫力や臨場感に優れた複雑な効果音等を出力することができるので、コストダウンを図り得る。更に、少数の部品で構成されるので、省スペース化を図り得ると共に、遊技機への組付け性を向上させ得る。
【００３９】
また、音声制御手段から送信される音信号を、ハイパスフィルタおよびローパスフィルタを用いて、中高音信号と低音信号とに分割した後に、夫々独立してパワーアンプや低音増幅部で増幅処理し、中高音用の中高音出力装置または低音用の低音出力装置の夫々で出力するようにしたので、より低音域や中高音域が鮮明かつ高品質で出力し得るようになり、迫力や臨場感に優れた複雑な効果音等の出力が可能となる。更に、基準となる周波数よりも低い周波数を取り除くハイパスフィルタと、基準となる周波数よりも高い周波数を取り除くローパスフィルタとにより、所定の音域を取り除くようにすれば、出力される音を自由に変化させることができ、音声出力装置から出力される効果音等の多様化を容易に図り得る。なお、ハイパスフィルタおよびローパスフィルタの夫々を上球皿内の中空部に配設することで、遊技機内のスペースが圧迫され、遊技機の組付け性やメンテナンス性を損なう畏れはない。
【００４０】
更に、前記中空部をエンクロージャー構造に形成し、少なくとも中高音用の音声出力装置を配設することで、低音出力装置を配設しない場合であっても迫力や臨場感のある低音域の強調された効果音や音声等を出力することが可能となる。
【図面の簡単な説明】
【図１】本発明の実施例に係るパチンコ機を示す正面図である。
【図２】第１実施例に係る上球皿を示す斜視図である。
【図３】第１実施例に係る上球皿の横断平面図である。
【図４】第１実施例に係る上球皿を示す正面図である。
【図５】第１実施例に係る上球皿の中空部内に音声出力装置を配設した位置での縦断側面図である。
【図６】第１実施例に係る音声制御手段、低音増幅部、パワーアンプおよび音声出力装置の関係を示す概略図である。
【図７】第２実施例に係る上球皿の横断平面図である。
【図８】第２実施例に係る音声制御手段、ハイパスフィルタ、第１のパワーアンプおよび中高音出力装置の関係と、音声制御手段、ローパスフィルタ、低音増幅部、第２のパワーアンプおよび低音出力装置の関係とを示す概略図である。
【図９】従来の技術に係るパチンコ機を示す正面図である。
【図１０】従来の技術に係るパチンコ機を示す背面図である。
【図１１】従来の技術に係る音声制御手段と音声出力装置との関係を示す概略図である。
【図１２】従来の技術に係る音声制御手段の構成を示す概略構成図である。
【符号の説明】
２１  音声制御手段
２２  音声制御用ＣＰＵ
２３  音声合成ＩＣ
２４  音声用や制御用のＲＯＭ
２５  音量調節器
２７  音声出力装置
２８  中高音出力装置
２８ａ  出力部
２９  低音出力装置
２９ａ  出力部
３０  上球皿
３０ａ  中空部
３１ａ  通気孔
３８  低音増幅部
３９  パワーアンプ
４０  第１のパワーアンプ
４１  第２のパワーアンプ
４２  除熱手段
４３  ハイパスフィルタ
４４  ローパスフィルタ
【図１】
0004738679.tif 000002
【図２】
0004738679.tif 000003
【図３】
0004738679.tif 000004
【図４】
0004738679.tif 000005
【図５】
0004738679.tif 000006
【図６】
0004738679.tif 000007
【図７】
0004738679.tif 000008
【図８】
0004738679.tif 000009
【図９】
0004738679.tif 000010
【図１０】
0004738679.tif 000011
【図１１】
0004738679.tif 000012
【図１２】
0004738679.tif 000013